(57)【要約】【課題】破損のない画像から画像ログを作成できる画像処理システム、及び画像処理装置を提供する。【解決手段】ステップＳ２０３で、「ドキュメントＦＩＸ情報」がＦＩＸされているかを判定し、ＦＩＸされていないときに、ステップＳ２０４で「ページＦＩＸ情報」にＦＩＸされていないページが有るかを判定する。ＦＩＸされていないページが有るとき、ステップＳ２０５でＦＩＸされていない「ページＦＩＸ情報」に対応するページ画像を削除する。ステップＳ２０６で、「ページＦＩＸ情報」にＦＩＸされているページが有るかを判定し、ＦＩＸされているページが有るときステップステップＳ２０７で「ドキュメントＦＩＸ情報」にＦＩＸをセットし、ステップＳ２０８で「ドキュメントＦＩＸ情報」を記憶する。また、ＦＩＸされているページがないときには、ステップＳ２０９で「ページＦＩＸ情報」と「ドキュメントＦＩＸ情報」を削除する。【選択図】図５
2017004361.tif 000002
【特許請求の範囲】
【請求項１】
情報端末、画像処理装置、及びストレージサーバーを有する画像処理システムであって、
前記情報端末は、
前記画像処理装置にドキュメント画像を格納したジョブ実行要求を送信するジョブ実行要求送信手段
を備え、
前記画像処理装置は、
前記情報端末から前記ジョブ実行要求を受信するジョブ実行要求受信手段と、
前記ドキュメント画像のページ画像をＦＩＸさせるページ画像ＦＩＸ手段と、
前記ページ画像ＦＩＸ手段により前記ページ画像がＦＩＸされていない前記ページ画像を削除するページ画像リカバリー手段と、
ＦＩＸさせた前記ページ画像と前記ページ画像のページ属性を前記ストレージサーバーに送信するページ画像送信手段と
を備え、
前記ストレージサーバーは、
前記画像処理装置から前記ページ画像と前記ページ属性を受信するページ画像受信手段と、
前記ページ画像と前記ページ属性から予め指定された解像度の画像ログを作成する画像ログ作成手段と、
前記画像ログを保存する画像ログ保存手段と
を備えることを特徴とする画像処理システム。
【請求項２】
前記ページ画像リカバリー手段は、前記ドキュメント画像の破損のない前記ページ画像のみを全てＦＩＸしたときに、ドキュメント画像をＦＩＸすることを特徴とする請求項１に記載の画像処理システム。
【請求項３】
前記画像処理装置は、
前記ジョブ実行要求のジョブを実行するジョブ実行手段を備え、
前記ドキュメント画像がＦＩＸされたときに前記ジョブを実行することを特徴とする請求項２に記載の画像処理システム。
【請求項４】
前記ページ画像送信手段は、前記ドキュメント画像がＦＩＸされたときに前記ページ画像と前記ページ属性を前記ストレージサーバーに送信することを特徴とする請求項２または請求項３に記載の画像処理システム。
【請求項５】
前記画像ログ作成手段は、前記ページ画像と前記ページ属性に整合性があるときに前記画像ログを作成することを特徴とする請求項１から請求項４のいずれか１項に記載の画像処理システム。
【請求項６】
ドキュメント画像を格納したジョブ実行要求を入力するジョブ実行要求入力手段と、
前記ドキュメント画像のページ画像をＦＩＸさせるページ画像ＦＩＸ手段と、
前記ページ画像ＦＩＸ手段により前記ページ画像がＦＩＸされていない前記ページ画像を削除するページ画像リカバリー手段と
を備えることを特徴とする画像処理装置。
【請求項７】
ＦＩＸさせた前記ページ画像と前記ページ画像のページ属性から予め指定された解像度の画像ログを作成する画像ログ作成手段と、
前記画像ログを保存する画像ログ保存手段と
を備えることを特徴とする請求項６に記載の画像処理装置。
【請求項８】
前記ページ画像リカバリー手段は、前記ドキュメント画像の破損のない前記ページ画像のみを全てＦＩＸしたときに、ドキュメント画像をＦＩＸすることを特徴とする請求項７に記載の画像処理装置。
【請求項９】
前記ジョブ実行要求のジョブを実行するジョブ実行手段を備え、
前記ドキュメント画像がＦＩＸされたときに前記ジョブを実行することを特徴とする請求項８に記載の画像処理装置。
【請求項１０】
前記画像ログ作成手段は、前記ドキュメント画像がＦＩＸされたときに前記ページ画像と前記ページ属性の画像ログを作成することを特徴とする請求項８または請求項９に記載の画像処理装置。
【請求項１１】
前記画像ログ作成手段は、前記ページ画像と前記ページ属性に整合性があるときに前記画像ログを作成することを特徴とする請求項７から請求項１０のいずれか１項に記載の画像処理装置。
【発明の詳細な説明】
【技術分野】
【０００１】
本発明は、画像処理装置から出力される画像のイメージ（以下、「画像ログ」という）を保存する画像処理システム、及び画像処理装置に関する。
【背景技術】
【０００２】
プリンター、多機能プリンター、多機能周辺装置、又は複合機（Ｍｕｌｔｉｆｕｎｃｔｉｏｎ  Ｐｅｒｉｐｈｅｒａｌ）である画像処理装置は、原稿をスキャナーで読み取り、原稿の画像を印刷または送信するための出力機能を備えている。また、画像処理装置は、携帯端末やＰＣ（パソコン）などの端末装置（以下、「情報端末」という）から受信する画像を印刷または送信するための出力機能を備えている。このようにユーザーは、画像処理装置から出力される画像を容易に用紙に印刷または他の装置にＦＡＸなどで送信することができる。このため、管理者が出力された画像に機密情報がないかを監視するときには、画像処理装置から出力される全ての画像の画像ログを、画像処理装置又はハードディスクなどの外部装置に保存し、保存されている画像ログを確認している。また、画像ログに破損があると管理者が画像ログの確認ができないため、確認前に画像ログが破損していないかを検出することがある。例えば、特許文献１の画像処理装置では、縮小処理、圧縮処理、及び暗号化処理を施した画像ログが記憶され、この画像ログを液晶ディスプレイに表示するときに、画像ログの縮小処理、圧縮処理、及び暗号化処理を解除した画像ログが読み取り可能であるかを判定している。読み取り可能であるときには、画像ログの元の画像を削除する。しかし、画像ログの読み取りが可能でないときには、元の画像から再び画像ログを作成し、縮小処理、圧縮処理、及び暗号化処理を施すことで、画像ログのデータ量を少なくし、またセキュリティを強化した画像ログを作成している。
【先行技術文献】
【特許文献】
【０００３】
【特許文献１】特開２００７−２７９８１７号公報
【発明の概要】
【発明が解決しようとする課題】
【０００４】
しかし、特許文献１の画像処理装置では、元の画像が破損しているときには、元の画像から画像ログを作成すると、破損した画像ログが作成されてしまうという問題があった。
【０００５】
本発明はこのような状況に鑑みてなされたものであり、上記課題を解決できる画像処理システム、及び画像処理装置を提供することを目的とする。
【課題を解決するための手段】
【０００６】
本発明の画像処理システムは、情報端末、画像処理装置、及びストレージサーバーを有する画像処理システムであって、前記情報端末は、前記画像処理装置にドキュメント画像を格納したジョブ実行要求を送信するジョブ実行要求送信手段を備え、前記画像処理装置は、前記情報端末から前記ジョブ実行要求を受信するジョブ実行要求受信手段と、前記ドキュメント画像のページ画像をＦＩＸさせるページ画像ＦＩＸ手段と、前記ページ画像ＦＩＸ手段により前記ページ画像がＦＩＸされていない前記ページ画像を削除するページ画像リカバリー手段と、ＦＩＸさせた前記ページ画像と前記ページ画像のページ属性を前記ストレージサーバーに送信するページ画像送信手段とを備え、前記ストレージサーバーは、前記画像処理装置から前記ページ画像と前記ページ属性を受信するページ画像受信手段と、前記ページ画像と前記ページ属性から予め指定された解像度の画像ログを作成する画像ログ作成手段と、前記画像ログを保存する画像ログ保存手段とを備えることを特徴としている。
また、本発明の画像処理システムの前記ページ画像リカバリー手段は、前記ドキュメント画像の破損のない前記ページ画像のみを全てＦＩＸしたときに、ドキュメント画像をＦＩＸすることを特徴としている。
また、本発明の画像処理システムの前記画像処理装置は、前記ジョブ実行要求のジョブを実行するジョブ実行手段を備え、前記ドキュメント画像がＦＩＸされたときに前記ジョブを実行することを特徴としている。
また、本発明の画像処理システムの前記ページ画像送信手段は、前記ドキュメント画像がＦＩＸされたときに前記ページ画像と前記ページ属性を前記ストレージサーバーに送信することを特徴としている。
また、本発明の画像処理システムの前記画像ログ作成手段は、前記ページ画像と前記ページ属性に整合性があるときに前記画像ログを作成することを特徴としている。
本発明の画像処理装置は、ドキュメント画像を格納したジョブ実行要求を入力するジョブ実行要求入力手段と、前記ドキュメント画像のページ画像をＦＩＸさせるページ画像ＦＩＸ手段と、前記ページ画像ＦＩＸ手段により前記ページ画像がＦＩＸされていない前記ページ画像を削除するページ画像リカバリー手段とを備えることを特徴としている。
また、本発明の画像処理装置は、ＦＩＸさせた前記ページ画像と前記ページ画像のページ属性から予め指定された解像度の画像ログを作成する画像ログ作成手段と、前記画像ログを保存する画像ログ保存手段とを備えることを特徴としている。
また、本発明の画像処理装置の前記ページ画像リカバリー手段は、前記ドキュメント画像の破損のない前記ページ画像のみを全てＦＩＸしたときに、ドキュメント画像をＦＩＸすることを特徴としている。
また、本発明の画像処理装置は、前記ジョブ実行要求のジョブを実行するジョブ実行手段を備え、前記ドキュメント画像がＦＩＸされたときに前記ジョブを実行することを特徴としている。
また、本発明の画像処理装置の前記画像ログ作成手段は、前記ドキュメント画像がＦＩＸされたときに前記ページ画像と前記ページ属性の画像ログを作成することを特徴としている。
また、本発明の画像処理装置の前記画像ログ作成手段は、前記ページ画像と前記ページ属性に整合性があるときに前記画像ログを作成することを特徴としている。
【発明の効果】
【０００７】
本発明は、画像処理装置から出力される画像の破損を検出し、破損のない画像から画像ログを作成できる画像処理システム、及び画像処理装置を提供する。
【図面の簡単な説明】
【０００８】
【図１】本発明の実施形態に係る画像処理システムの構成を示す図である。
【図２】図１に示す画像処理システムの情報端末、画像処理装置、及びストレージサーバーの機能構成を示す図である。
【図３】本発明の実施形態に係るドキュメント画像のＦＩＸ状態を説明する図である。
【図４】本発明の実施形態に係るドキュメント画像ＦＩＸ処理の流れを示すフローチャートである。
【図５】本発明の実施形態に係るドキュメント画像リカバリー処理の流れを示すフローチャートである。
【図６】本発明の実施形態に係る画像ログ作成処理の流れを示すフローチャートである。
【発明を実施するための形態】
【０００９】
以下、本発明を実施するための形態（以下、「実施形態」という）を、図面を参照して説明する。実施形態において、原稿などのドキュメントの画像（以下、「ドキュメント画像」という）をユーザーが情報端末から画像処理装置に印刷要求すると、画像処理装置がドキュメント画像のページ毎の画像（以下、「ページ画像」という）を作成して確定（以下、「ＦＩＸ」という）する。なお、ドキュメント画像には、ページ数とページの区切りの情報を保持しているので、ドキュメント画像からページ数とページ毎の画像を取り出すことができる。しかし、ページ画像のＦＩＸ途中で画像処理装置の電源断が発生すると、ページ画像に破損が生じる。また、画像処理装置からページ画像を受信して画像ログを作成するストレージサーバーは、破損のあるページ画像を受信すると、破損がある画像ログを作成する。このため、画像処理装置が再起動されたときに、破損のあるページ画像を検出して削除することで、破損のないページ画像をストレージサーバーに送信し、ストレージサーバーが破損のない画像ログを作成する。
【００１０】
本実施形態の画像処理システム１０の概要について、図１を用いて説明する。図１に示すように、画像処理システム１０は、情報端末１００、画像処理装置２００、ストレージサーバー３００、ルーター４００、ＬＡＮ（Local Area Network）５００、インターネット６００、及び他の画像処理装置７００により構成されている。情報端末１００、画像処理装置２００、ストレージサーバー３００、及びルーター４００は、ＬＡＮ５００に接続されている。
【００１１】
次に、画像処理システム１０を構成する装置や機器について説明する。
【００１２】
情報端末１００は、画像処理装置２００に対してドキュメント画像の印刷要求やＦＡＸ送信要求を行うユーザーの操作端末である。ユーザーが情報端末１００のドキュメント画像の印刷要求またはＦＡＸ送信要求を行うときには、画像処理装置２００に印刷要求またはＦＡＸ送信要求のジョブ実行要求を送信する。
【００１３】
画像処理装置２００は、プリンター、多機能プリンター、多機能周辺装置、又は複合機であり、原稿台から直接読み取った原稿のドキュメント画像又は情報端末１００から受信するジョブ実行要求に格納されるドキュメント画像の印刷、または他の画像処理装置７００との間でドキュメント画像のＦＡＸ送受信などを行う。
【００１４】
ストレージサーバー３００は、画像処理装置２００からページ画像とページ画像の画像特性が設定されているページ属性を受信すると、画像ログを作成し、画像ログを保存する。
【００１５】
ルーター４００は、ＬＡＮ５００とインターネット６００とを接続する。また、ルーター４００がインターネット６００に接続するときにファイアーウォール（図示せず）を経由させ、ファイアーウォールの設定をインターネット６００に接続されている他の画像処理装置７００と、ＬＡＮ５００に接続されている情報端末１００、画像処理装置２００、及びストレージサーバー３００とだけアクセスを許可するようにする。このようにファイアーウォールを設定すると、インターネット６００からの不正アクセス、ＬＡＮ５００に接続されている情報端末１００、画像処理装置２００、及びストレージサーバー３００からインターネット６００に不正にデータが送信されることを防ぐことができる。
【００１６】
画像処理装置７００は、プリンター、多機能プリンター、多機能周辺装置、又は複合機であり、原稿台から直接読み取った原稿のドキュメント画像又は情報端末１００から受信するジョブ実行要求に格納されるドキュメント画像の印刷、または画像処理装置２００との間でドキュメント画像のＦＡＸ送受信などを行う。
【００１７】
次に、図１に示す画像処理システム１０における情報端末１００、画像処理装置２００、及びストレージサーバー３００の機能構成について、図２を用いて説明する。なお、画像処理装置７００は、ＬＡＮ（図示せず）を経由してインターネット６００に接続されており、画像処理装置７００の機能構成は、画像処理装置２００の機能構成に同じである。
【００１８】
まず、情報端末１００の機能構成について図２を用いて説明する。図２に示すように情報端末１００は、制御部１１０、メモリー部１２０、及ＬＡＮインターフェイス部１３０を備え、これら各部はバスなどにより接続される構成となっている。制御部１１０には、ジョブ実行要求送信処理部１１０ａ（ジョブ実行要求送信手段）が設けられている。メモリー部１２０には、ドキュメント画像記憶エリア１２０ａが設けられている。
【００１９】
制御部１１０は、ＲＡＭやＲＯＭ等の主記憶手段、及びＣＰＵ(Central Processing Unit)等の制御手段を備えている。また、制御部１１０は、各種Ｉ／Ｏや、ＵＳＢ（ユニバーサル・シリアル・バス）等のインターフェイス、バスコントローラー等を含む総合的な情報端末１００のコントロールを行う。
ジョブ実行要求送信処理部１１０ａは、画像処理装置２００に印刷またはＦＡＸ送信などのジョブの実行を要求する。例えば、印刷ジョブの実行が要求されると、ジョブ実行要求送信処理部１１０ａは、文書作成ソフトウェア又は作図ソフトウェアなどで作成されたドキュメントから画像処理装置２００が処理可能なドキュメント画像を作成し、印刷要求とドキュメント画像を格納したジョブ実行要求を画像処理装置２００に送信する。
【００２０】
メモリー部１２０は、フラッシュメモリー等からなる補助記憶装置で、制御部１１０が実行する処理のプログラムやデータを記憶する。
ドキュメント画像記憶エリア１２０ａは、文書作成ソフトウェア又は作図ソフトウェアなどで作成されたドキュメント画像を一時的に保存する。
【００２１】
ＬＡＮインターフェイス部１３０は、ＬＡＮ５００に接続するための着脱可能なＬＡＮインターフェイスを備えている。ＬＡＮインターフェイスには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００２２】
次に、画像処理装置２００の機能構成について、図２を用いて説明する。図２に示す画像処理装置２００は、制御部２１０、メモリー部２２０、データ保存部２３０、ＬＡＮインターフェイス部２４０、操作パネル２５０、操作パネル処理部２６０、原稿読取部２７０、画像形成部２８０、及び印刷部２９０を備え、これら各部はバスなどにより接続される構成となっている。制御部２１０には、ジョブ実行要求受信処理部２１０ａ（ジョブ実行要求受信手段）、ページ画像ＦＩＸ処理部２１０ｂ（ページ画像ＦＩＸ手段）、ジョブ実行処理部２１０ｃ（ジョブ実行手段）、ページ画像送信処理部２１０ｄ（ページ画像送信手段）、及びページ画像リカバリー処理部２１０ｅ（ページ画像リカバリー手段）が設けられている。メモリー部２２０には、ドキュメント画像記憶エリア２２０ａ、ページ画像記憶エリア２２０ｂ、及びページ・ドキュメントＦＩＸ情報記憶エリア２２０ｃが設けられている。データ保存部２３０には、ドキュメント画像ボックス２３０ａが設けられている。
【００２３】
制御部２１０は、ＲＡＭやＲＯＭ等の主記憶手段、及びＣＰＵ(Central Processing Unit)等の制御手段を備えている。また、制御部２１０は、各種Ｉ／Ｏや、ＵＳＢ（ユニバーサル・シリアル・バス）等のインターフェイス、バスコントローラー等を含む総合的な画像処理装置２００の制御を行う。
ジョブ実行要求受信処理部２１０ａは、情報端末１００からジョブ実行要求を受信すると、ジョブ実行要求を制御部２１０に通知する。例えば、ジョブ実行要求に印刷要求が格納されているときには、ジョブ実行要求受信処理部２１０ａは、ドキュメント画像をドキュメント画像記憶エリア２２０ａに記憶すると、印刷要求を制御部２１０に通知する。
ページ画像ＦＩＸ処理部２１０ｂは、ドキュメント画像のページ画像をＦＩＸし、全てのページ画像をＦＩＸすると、ドキュメント画像をＦＩＸする。また、ページ画像ＦＩＸ処理部２１０ｂは、ＦＩＸしたページ画像とページ画像のページ属性をページ画像記憶エリア２２０ｂに記憶する。ページ画像ＦＩＸ処理部２１０ｂの詳細については、後述する。
ジョブ実行処理部２１０ｃは、「ドキュメントＦＩＸ情報」がＦＩＸされると、制御部２１０により起動され、ジョブ実行処理を実行する。例えば、印刷要求のジョブであるときには、ジョブ実行処理部２１０ｃは、ページ画像記憶エリア２２０ｂからページ画像とページ属性を取り出して印刷を行う。「ドキュメントＦＩＸ情報」の詳細については、後述する。
ページ画像送信処理部２１０ｄは、「ドキュメントＦＩＸ情報」がＦＩＸされると、制御部２１０により起動され、ページ画像送信処理を実行する。ページ画像送信処理部２１０ｄは、ページ画像記憶エリア２２０ｂからページ画像とページ属性を取り出し、ストレージサーバー３００に送信すると、ページ画像記憶エリア２２０ｂのページ画像とページ属性を削除する。
ページ画像リカバリー処理部２１０ｅは、ＦＩＸされていない破損のあるページ画像を削除することで破損のないページ画像だけを記憶する。ページ画像リカバリー処理部２１０ｅの詳細については、後述する。
【００２４】
メモリー部２２０は、フラッシュメモリー等からなる補助記憶装置で、制御部２１０が実行する処理のプログラムやデータを記憶する。
ドキュメント画像記憶エリア２２０ａは、情報端末１００から受信するジョブ実行要求に格納されているドキュメント画像、または原稿読取部２７０により原稿が読み取られて画像形成部２８０により画像処理されたドキュメント画像を一時的に記憶する。
ページ画像記憶エリア２２０ｂは、ページ画像ＦＩＸ処理部２１０ｂが作成したページ画像とページ属性を一時的に記憶する。
ページ・ドキュメントＦＩＸ情報記憶エリア２２０ｃは、「ページＦＩＸ情報」と「ドキュメントＦＩＸ情報」を記憶する。「ページＦＩＸ情報」の詳細については、後述する。
【００２５】
データ保存部２３０は、データやプログラムを保存するハードディスクドライブである。
ドキュメント画像ボックス２３０ａは、原稿読取部２７０により原稿が読み取られて画像形成部２８０により画像処理されたドキュメント画像、ＬＡＮインターフェイス部２４０を経由して情報端末１００から受信したドキュメント画像、又は画像処理装置７００からインターネット６００を経由して受信したドキュメント画像に対して、ユーザーが指定したドキュメント画像を保存する。
【００２６】
ＬＡＮインターフェイス部２４０は、ＬＡＮ５００に接続するための着脱可能なＬＡＮインターフェイスを備えている。ＬＡＮインターフェイスには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００２７】
操作パネル２５０は、操作メニューの表示、ユーザーの指による操作を受け付ける。また、ユーザーは操作パネル２５０から画像処理装置２００にジョブの実行要求を行うことができる。
【００２８】
操作パネル処理部２６０は、画像処理装置２００が備えている機能の操作項目を操作パネル２５０に表示する処理、操作パネル２５０からユーザーが行う操作に対する操作データを入力する処理、及び操作パネル２５０からユーザーが行うジョブの実行要求を入力する処理を行う。
【００２９】
原稿読取部２７０は、画像処理装置２００の原稿台にセットされた原稿の読み取りを行うもので、ユーザーが操作パネル２５０から読み取り要求を行うことにより、原稿台にセットされた原稿の読み取りを行うことができる。
【００３０】
画像形成部２８０は、ユーザーからの読み取り要求により原稿読取部２７０で読み取った原稿を、印刷可能及びＦＡＸ送信が可能なドキュメント画像に変換する。
【００３１】
印刷部２９０は、ユーザーから印刷要求のあったドキュメント画像をコピー用紙などに印刷する。
【００３２】
次に、ストレージサーバー３００の機能構成について、図２を用いて説明する。図２に示すようにストレージサーバー３００は、制御部３１０、メモリー部３２０、データ保存部３３０、及ＬＡＮインターフェイス部３４０を備え、これら各部はバスなどにより接続される構成となっている。制御部３１０には、ページ画像受信処理部３１０ａ（ページ画像受信手段）、画像ログ作成処理部３１０ｂ（画像ログ作成手段）、及び画像ログ保存処理部３１０ｃ（画像ログ保存手段）が設けられている。メモリー部３２０には、ページ画像記憶エリア３２０ａが設けられている。データ保存部３３０には、画像ログ保存エリア３３０ａが設けられている。
【００３３】
制御部３１０は、ＲＡＭやＲＯＭ等の主記憶手段、及びＣＰＵ(Central Processing Unit)等の制御手段を備えている。また、制御部３１０は、各種Ｉ／Ｏや、ＵＳＢ（ユニバーサル・シリアル・バス）等のインターフェイス、バスコントローラー等を含む総合的なストレージサーバー３００のコントロールを行う。
ページ画像受信処理部３１０ａは、画像処理装置２００からページ画像とページ属性を受信すると、ページ画像記憶エリア３２０ａに記憶し、ページ画像の受信を制御部３１０に通知する。
画像ログ作成処理部３１０ｂは、ページ画像記憶エリア３２０ａからページ画像とページ属性を取り出し、画像ログを作成すると画像ログ保存処理部３１０ｃに出力する。画像ログ作成処理部３１０ｂの詳細については、後述する。
画像ログ保存処理部３１０ｃは、画像ログ作成処理部３１０ｂから画像ログを入力すると、画像ログ保存エリア３３０ａに保存する。
【００３４】
メモリー部３２０は、フラッシュメモリー等からなる補助記憶装置で、制御部３１０が実行する処理のプログラムやデータを記憶する。
ページ画像記憶エリア３２０ａは、画像処理装置２００から受信したページ画像とページ属性を一時的に記憶する。
【００３５】
データ保存部３３０は、データやプログラムを保存するハードディスクドライブである。
画像ログ保存エリア３３０ａは、ページ画像とページ属性から作成した画像ログを保存する。
【００３６】
ＬＡＮインターフェイス部３４０は、ＬＡＮ５００に接続するための着脱可能なＬＡＮインターフェイスを備えている。ＬＡＮインターフェイスには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００３７】
次に、実施形態におけるページ画像のＦＩＸについて、図３を用いて説明する。図３（１）にドキュメント画像１のページ画像のＦＩＸ状態を示す。図３（２）にドキュメント画像２のページ画像のＦＩＸ状態を示す。
【００３８】
ドキュメント画像１は、図３（１）に示すようにドキュメント画像１に含まれる全てのページ画像がＦＩＸしている状態である。この状態のときには、各々のページ画像がＦＩＸされているか否かを示す「ページＦＩＸ情報」の全てのページにＦＩＸがセットされる。また、ドキュメント画像の全てのページ画像がＦＩＸされたときには、ドキュメント画像がＦＩＸされているか否かを示す「ドキュメントＦＩＸ情報」がＦＩＸされる。例えば、４ページのページ画像からなるドキュメント画像１において、全てのページ画像がＦＩＸされているときには、「ページＦＩＸ情報」のページ１からページ４に対応する全てのフラグにＦＩＸがセットされる。また、ドキュメント画像１において、全てのページ画像がＦＩＸされているので、ドキュメント画像１の「ドキュメントＦＩＸ情報」にＦＩＸがセットされる。
【００３９】
ドキュメント画像２は、図３（２）に示すようにドキュメント画像２にＦＩＸしていないページ画像が含まれている状態である。この状態のときには、「ページＦＩＸ情報」のＦＩＸしているページにＦＩＸがセットされ、ＦＩＸしていないページにＦＩＸがセットされない。また、ドキュメント画像２において全てのページ画像がＦＩＸされていないときには、「ドキュメントＦＩＸ情報」にＦＩＸがセットされない。例えば、４ページのページ画像からなるドキュメント画像２において、ページ画像１からページ画像３がＦＩＸされ、ページ画像４がＦＩＸされていないときには、「ページＦＩＸ情報」のページ１からページ３に対応するフラグにＦＩＸがセットされ、「ページＦＩＸ情報」のページ４に対応するフラグにＦＩＸがセットされない。また、ドキュメント画像２において、全てのページ画像がＦＩＸされていないので、ドキュメント画像２の「ドキュメントＦＩＸ情報」にＦＩＸがセットされない。
【００４０】
以上のように、「ページＦＩＸ情報」はページ画像のＦＩＸ状態を示し、「ドキュメントＦＩＸ情報」はドキュメントのＦＩＸ状態を示す。なお、ＦＩＸがセットされていない初期状態の「ページＦＩＸ情報」と「ドキュメントＦＩＸ情報」に対してページ画像ＦＩＸ処理部２１０ｂがＦＩＸをセットする。ページ画像ＦＩＸ処理部２１０ｂの処理の詳細については、後述する。
【００４１】
次に、画像処理装置２００のページ画像ＦＩＸ処理部２１０ｂにより実行されるページ画像ＦＩＸ処理の詳細について説明する。制御部２１０がジョブ実行要求受信処理部２１０ａから印刷要求を通知されると、制御部２１０が、ページ画像ＦＩＸ処理部２１０ｂを起動する。ページ画像ＦＩＸ処理部２１０ｂが起動されると、ページ画像ＦＩＸ処理部２１０ｂは、ページ画像ＦＩＸ処理を開始する。以下、図４に示すページ画像ＦＩＸ処理のフローチャートを用いてステップ順に説明する。
【００４２】
（ステップＳ１０１）
まず、ページ画像ＦＩＸ処理部２１０ｂは、ドキュメント画像記憶エリア２２０ａからドキュメント画像を取り出す。
【００４３】
（ステップＳ１０２）
次いで、ページ画像ＦＩＸ処理部２１０ｂは、ドキュメント画像からページ数を取り出し、ページ数合計（Ｓ）にセットする。
【００４４】
（ステップＳ１０３）
次いで、ページ画像ＦＩＸ処理部２１０ｂは、ページカウンター（Ｉ）に初期値の「１」をセットする。
【００４５】
（ステップＳ１０４）
次いで、ページ画像ＦＩＸ処理部２１０ｂは、ドキュメント画像からページカウンター（Ｉ）のページに対応する画像を取り出す。
【００４６】
（ステップＳ１０５）
次いで、ページ画像ＦＩＸ処理部２１０ｂは、ステップＳ１０４で取り出した画像からページ画像とページ属性を作成する。
【００４７】
（ステップＳ１０６）
次いで、ページ画像ＦＩＸ処理部２１０ｂは、ステップＳ１０５で作成したページのページ画像とページ属性をページ画像記憶エリア２２０ｂに記憶する。
【００４８】
（ステップＳ１０７）
次いで、ページ画像ＦＩＸ処理部２１０ｂは、「ページＦＩＸ情報」のページカウンター（Ｉ）に対応するフラグにＦＩＸをセットする。
【００４９】
（ステップＳ１０８）
次いで、ページ画像ＦＩＸ処理部２１０ｂは、ページカウンター（Ｉ）とページ数合計（Ｓ）を比較し、ページカウンター（Ｉ）がページ数合計（Ｓ）以上であるかを判定する。ページカウンター（Ｉ）がページ数合計（Ｓ）以上であるとき（ステップＳ１０８のＹｅｓ）は、ステップＳ１０９に進む。ページカウンター（Ｉ）がページ数合計（Ｓ）以上でないとき（ステップＳ１０８のＮｏ）は、ステップＳ１１１に進む。
【００５０】
（ステップＳ１０９）
ステップＳ１０８のＹｅｓにおいて、ページ画像ＦＩＸ処理部２１０ｂは、「ドキュメントＦＩＸ情報」にＦＩＸをセットする。
【００５１】
（ステップＳ１１０）
次いで、ページ画像ＦＩＸ処理部２１０ｂは、ステップＳ１０７でセットした「ページＦＩＸ情報」と、ステップＳ１０９でセットした「ドキュメントＦＩＸ情報」をページ・ドキュメントＦＩＸ情報記憶エリア２２０ｃに記憶し、ページ画像ＦＩＸ処理を終了する。
【００５２】
（ステップＳ１１１）
ステップＳ１０８のＮｏにおいて、ページ画像ＦＩＸ処理部２１０ｂは、ページカウンター（Ｉ）に「１」を加算し、ステップＳ１０４に戻る。
【００５３】
以上のように、ページ画像ＦＩＸ処理部２１０ｂは、ページ画像とページ属性を作成し、また「ページＦＩＸ情報」と「ドキュメントＦＩＸ情報」にＦＩＸをセットする。しかし、ページ画像ＦＩＸ処理部２１０ｂがページ画像ＦＩＸ処理を実行している途中で画像処理装置２００の電源断が発生すると、ドキュメント画像の一部のページ画像がＦＩＸされない状態となることがある。このため、電源が再投入されたときに、ページ画像リカバリー処理部２１０ｅは、ＦＩＸされていないページ画像を削除し、ドキュメント画像の破損のないページ画像のみが全てＦＩＸしたときに、ドキュメント画像をＦＩＸする。
【００５４】
次に、画像処理装置２００のページ画像リカバリー処理部２１０ｅにより実行されるページ画像リカバリー処理の詳細について説明する。画像処理装置２００の電源が再投入されると、制御部２１０が、ページ画像リカバリー処理部２１０ｅを起動する。ページ画像リカバリー処理部２１０ｅが起動されると、ページ画像リカバリー処理部２１０ｅは、ページ画像リカバリー処理を開始する。以下、図５に示すページ画像リカバリー処理のフローチャートを用いてステップ順に説明する。
【００５５】
（ステップＳ２０１）
まず、ページ画像リカバリー処理部２１０ｅは、ページ・ドキュメントＦＩＸ情報記憶エリア２２０ｃに「ページＦＩＸ情報」または「ドキュメントＦＩＸ情報」が存在するかを判定する。「ページＦＩＸ情報」と「ドキュメントＦＩＸ情報」が存在するとき（ステップＳ２０１のＹｅｓ）は、ステップＳ２０２に進む。「ページＦＩＸ情報」と「ドキュメントＦＩＸ情報」が存在しないとき（ステップＳ２０１のＮｏ）は、ページ画像リカバリー処理を終了する。
【００５６】
（ステップＳ２０２）
次いで、ページ画像リカバリー処理部２１０ｅは、ページ・ドキュメントＦＩＸ情報記憶エリア２２０ｃから「ページＦＩＸ情報」と「ドキュメントＦＩＸ情報」を取り出す。
【００５７】
（ステップＳ２０３）
次いで、ページ画像リカバリー処理部２１０ｅは、「ドキュメントＦＩＸ情報」がＦＩＸされているかを判定する。「ドキュメントＦＩＸ情報」がＦＩＸされているとき（ステップＳ２０３のＹｅｓ）は、ページ画像リカバリー処理を終了する。「ドキュメントＦＩＸ情報」がＦＩＸされていないとき（ステップＳ２０３のＮｏ）は、ステップＳ２０４に進む。
【００５８】
（ステップＳ２０４）
ステップＳ２０３のＹｅｓにおいて、ページ画像リカバリー処理部２１０ｅは、「ページＦＩＸ情報」にＦＩＸされていないページが有るかを判定する。「ページＦＩＸ情報」にＦＩＸされていないページが有るとき（ステップＳ２０４のＹｅｓ）は、ステップＳ２０５に進む。「ページＦＩＸ情報」にＦＩＸされているページが無いとき（ステップＳ２０４のＮｏ）は、ステップＳ２０６に進む。
【００５９】
（ステップＳ２０５）
次いで、ページ画像リカバリー処理部２１０ｅは、ＦＩＸされていない「ページＦＩＸ情報」に対応するページ画像をページ画像記憶エリア２２０ｂから削除する。
【００６０】
（ステップＳ２０６）
ステップＳ２０５に次いで、またはステップＳ２０４のＮｏにおいて、ページ画像リカバリー処理部２１０ｅは、「ページＦＩＸ情報」にＦＩＸされているページが有るかを判定する。「ページＦＩＸ情報」にＦＩＸされているページが有るとき（ステップＳ２０４のＹｅｓ）は、ステップＳ２０７に進む。「ページＦＩＸ情報」にＦＩＸされているページが無いとき（ステップＳ２０６のＮｏ）は、ステップＳ２０９に進む。
【００６１】
（ステップＳ２０７）
ステップＳ２０６のＹｅｓにおいて、ページ画像リカバリー処理部２１０ｅは、「ドキュメントＦＩＸ情報」にＦＩＸをセットする。
【００６２】
（ステップＳ２０８）
次いで、ページ画像リカバリー処理部２１０ｅは、ステップＳ２０７でセットした「ドキュメントＦＩＸ情報」をページ・ドキュメントＦＩＸ情報記憶エリア２２０ｃに記憶し、ページ画像リカバリー処理を終了する。
【００６３】
（ステップＳ２０９）
ステップＳ２０６のＮｏにおいて、ページ画像リカバリー処理部２１０ｅは、「ページＦＩＸ情報」と「ドキュメントＦＩＸ情報」をページ・ドキュメントＦＩＸ情報記憶エリア２２０ｃから削除し、ページ画像リカバリー処理を終了する。
【００６４】
以上のように、ページ画像リカバリー処理部２１０ｅは、ＦＩＸされていないページ画像を削除することで、ＦＩＸされたページ画像とページ属性をページ画像記憶エリア２２０ｂに記憶することができる。これにより、ページ画像送信処理部２１０ｄは、破損のないページ画像だけをストレージサーバー３００に送信することができる。
【００６５】
次に、ストレージサーバー３００の画像ログ作成処理部３１０ｂにより実行される画像ログ作成処理の詳細について説明する。制御部３１０がページ画像受信処理部３１０ａからページ画像の受信を通知されると、制御部３１０が、画像ログ作成処理部３１０ｂを起動する。画像ログ作成処理部３１０ｂが起動されると、画像ログ作成処理部３１０ｂは、画像ログ作成処理を開始する。以下、図６に示す画像ログ作成処理のフローチャートを用いてステップ順に説明する。
【００６６】
（ステップＳ３０１）
まず、画像ログ作成処理部３１０ｂは、ページ画像記憶エリア３２０ａからページ画像とページ属性を取り出す。
【００６７】
（ステップＳ３０２）
次いで、画像ログ作成処理部３１０ｂは、ページ画像とページ属性に整合性があるかを判定する。ページ画像とページ属性に整合性があるとき（ステップＳ３０２のＹｅｓ）は、ステップＳ３０３に進む。ページ画像とページ属性に整合性がないとき（ステップＳ３０２のＮｏ）は、ステップＳ３０５に進む。
【００６８】
（ステップＳ３０３）
ステップＳ３０２のＹｅｓにおいて、画像ログ作成処理部３１０ｂは、ページ画像とページ属性から指定された解像度の画像ログを作成する。
【００６９】
（ステップＳ３０４）
次いで、画像ログ作成処理部３１０ｂは、ステップＳ３０３で作成した画像ログを画像ログ保存処理部３１０ｃに出力する。
【００７０】
（ステップＳ３０５）
ステップＳ３０２のＮｏまたはステップＳ３０４に次いで、画像ログ作成処理部３１０ｂは、ページ画像記憶エリア３２０ａからページ画像とページ属性を削除し、画像ログ作成処理を終了する。
【００７１】
以上のように、画像ログ作成処理部３１０ｂは、ページ画像とページ属性が整合しているかを判定し、ページ画像とページ属性が不整合であるときには画像ログを作成しないので、読み取り可能な画像ログだけを作成することができる。また、ページ画像とページ属性から指定された解像度の画像ログを作成するので、指定された解像度を小さくすることで画像ログの容量を小さくできる。
【００７２】
本実施形態により、画像処理装置２００のページ画像ＦＩＸ処理部２１０ｂによるページ画像ＦＩＸ処理を実行しているときに、画像処理装置２００の電源断によりページ画像ＦＩＸ処理が中断した場合でも、再び電源が投入されるとページ画像リカバリー処理部２１０ｅによりページ画像リカバリー処理が実行される。このページ画像リカバリー処理部２１０ｅにより破損のあるページ画像が削除されるので、破損のないページ画像だけをストレージサーバー３００に送信することができる。従って、ストレージサーバー３００は、破損のない画像から読み取りが可能な画像ログを作成し、保存することができる。また、ストレージサーバー３００が受信したページ画像とページ属性の整合性を判定し、整合性のないページ画像の画像ログを作成しないようにすることで、読み取りが可能な画像ログだけを作成して保存することができる。
【００７３】
なお、実施形態においては、情報端末１００からドキュメント画像の印刷を画像処理装置２００に要求するようにしたが、これに限定されない。例えば、ドキュメント画像を画像処理装置２００から他の画像処理装置７００にＦＡＸ送信する要求を行う場合でも、同様に実施することができる。また、情報端末１００から画像処理装置２００にドキュメント画像の印刷またはＦＡＸ送信する要求を行うのでなく、画像処理装置２００の操作パネル２５０から要求した場合も同様に実施することができる。更に、印刷やＦＡＸ送信に限らず、画像処理装置２００が出力するドキュメント画像を他の装置に記憶するなどの要求を行う場合でも、同様に実施することができる。
【００７４】
また、実施形態においては、情報端末１００からドキュメント画像を格納したジョブ実行要求を画像処理装置２００が受信し、また画像処理装置２００からページ画像とページ属性をストレージサーバー３００に送信し、ストレージサーバー３００がページ画像とページ属性から画像ログを作成して保存するようにしたが、これに限定されない。例えば、画像処理装置２００の制御部２１０に画像ログ作成処理部３１０ｂ（画像ログ作成手段）と画像ログ保存処理部３１０ｃ（画像ログ保存手段）を備え、またデータ保存部２３０に画像ログ保存エリア３３０ａを備える。そして、ユーザーが画像処理装置２００の操作パネル２５０から印刷を要求し、操作パネル処理部２６０（ジョブ実行要求入力手段）から印刷要求とドキュメント画像を格納したジョブ実行要求を制御部２１０に出力することで、画像処理装置２００だけで同様に実施することができる。
【００７５】
また、実施形態においては、情報端末１００、画像処理装置２００、及びストレージサーバー３００がＬＡＮ５００に接続されている画像処理システム１０を実施例としたが、これに限定されない。例えば、情報端末１００、画像処理装置２００、またはストレージサーバー３００がネットワーク６００に接続されている場合でも同様に実施することができる。
【００７６】
このような本発明の画像処理システム、及び画像処理装置は、画像処理装置から出力される画像の破損を検出し、破損のない画像から画像ログを作成できる。
【００７７】
以上、具体的な実施の形態により本発明を説明したが、上記実施の形態は本発明の例示であり、この実施の形態に限定されないことは言うまでもない。
【産業上の利用可能性】
【００７８】
本発明は、画像処理システム及び画像処理装置に好適であるが、画像処理システム及び画像処理装置に限られるものではなく、画像ログを作成して保存するシステム及び装置一般に適用できる。
【符号の説明】
【００７９】
１０・・・・・・画像処理システム
１００・・・・・情報端末
１１０・・・・・制御部
１１０ａ・・・・ジョブ実行要求送信処理部
１２０・・・・・メモリー部
１２０ａ・・・・ドキュメント画像記憶エリア
１３０・・・・・ＬＡＮインターフェイス部
２００・・・・・画像処理装置
２１０・・・・・制御部
２１０ａ・・・・ジョブ実行要求受信処理部
２１０ｂ・・・・ページ画像ＦＩＸ処理部
２１０ｃ・・・・ジョブ実行処理部
２１０ｄ・・・・ページ画像送信処理部
２１０ｅ・・・・ページ画像リカバリー処理部
２２０・・・・・メモリー部
２２０ａ・・・・ドキュメント画像記憶エリア
２２０ｂ・・・・ページ画像記憶エリア
２２０ｃ・・・・ページ・ドキュメントＦＩＸ情報記憶エリア
２３０・・・・・データ保存部
２３０ａ・・・・ドキュメント画像ボックス
２４０・・・・・ＬＡＮインターフェイス部
２５０・・・・・操作パネル
２６０・・・・・操作パネル処理部
２７０・・・・・原稿読取部
２８０・・・・・画像形成部
２９０・・・・・印刷部
３００・・・・・ストレージサーバー
３１０・・・・・制御部
３１０ａ・・・・ページ画像受信処理部
３１０ｂ・・・・画像ログ作成処理部
３１０ｃ・・・・画像ログ保存処理部
３２０・・・・・メモリー部
３２０ａ・・・・ページ画像記憶エリア
３３０・・・・・データ保存部
３３０ａ・・・・画像ログ保存エリア
３４０・・・・・ＬＡＮインターフェイス部
４００・・・・・ルーター
５００・・・・・ＬＡＮ
６００・・・・・インターネット
７００・・・・・画像処理装置
【図１】
2017004361.tif 000003
【図２】
2017004361.tif 000004
【図３】
2017004361.tif 000005
【図４】
2017004361.tif 000006
【図５】
2017004361.tif 000007
【図６】
2017004361.tif 000008